(57)【特許請求の範囲】
【請求項１】
ソース光にラマン２次ストークス光を生成する方法であって、
光共振器内に設けられている非線形光媒体におけるラマンインタラクションによって、前記ソース光からラマン１次ストークス光を生成し、前記光共振器内の前記ラマン１次ストークス光を共振させるステップと、
前記非線形光媒体において位相整合されていない４波混合プロセスによって、前記ソース光及び前記ラマン１次ストークス光から、ラマン２次ストークス光の周波数でシード光を生成するステップと、
前記非線形光媒体内のラマン増幅プロセスを用いて前記光共振器内で共振する前記１次ストークス光から前記シード光にパワーを伝達することによって、前記シード光を増幅するステップと、
前記増幅されたシード光の前記パワーの少なくとも８３％を前記光共振器から抽出するステップとを含む方法。
【請求項２】
前記増幅されたシード光の前記パワーの少なくとも９０％、少なくとも９５％、又は実質的に１００％を前記光共振器から抽出する、請求項１に記載の方法。
【請求項３】
前記ソース光は、複数のソース光パルスを含み、前記ラマン１次ストークス光は、複数のラマン１次ストークスパルスを含み、前記シード光は、複数のシード光パルスを含む、請求項１又は２に記載の方法。
【請求項４】
前記複数のソース光パルスのそれぞれは、１０ｎｓ、１ｎｓ、１００ｐｓ、１０ｐｓ及び１ｐｓの少なくとも１つより短い時間幅を有する、請求項３に記載の方法。
【請求項５】
前記複数のソース光パルスは、前記非線形光媒体内の前記複数のラマン１次ストークスパルス及び前記複数のシード光パルスに空間的に一致する、請求項３又は４に記載の方法。
【請求項６】
前記複数のソース光パルスは、モードロックレーザによって生成される、請求項３〜５のいずれか一項に記載の方法。
【請求項７】
前記非線形光媒体は、ダイヤモンド結晶を含む、請求項１〜６のいずれか一項に記載の方法。
【請求項８】
前記ソース光は、ダイヤモンド結晶の＜１１１＞方向に偏光され、前記ソース光、前記ラマン１次ストークス光、及び前記シード光は、ダイヤモンド結晶の＜１１０＞方向に伝播する、請求項１に記載の方法。
【請求項９】
前記ラマン１次ストークス光は、前記光共振器内で単一の向きの動きを有する、請求項１〜８のいずれか一項に記載の方法。
【請求項１０】
前記光共振器内で前記ラマン１次ストークス光を共振させるステップは、共振サイクル毎に前記ラマン１次ストークス光のパワーの５％、２％、１％及び０．５％の少なくとも１つより小さいパワーを失うステップを含む、請求項１〜９のいずれか一項に記載の方法。
【請求項１１】
ソース光にラマン２次ストークス光を生成するシステムであって、
前記ソース光を受光する非線形光媒体が内部に設けられた光共振器であって、前記光共振器は、前記非線形光媒体によって受光した前記ソース光のラマンインタラクションによって生成されたラマン１次ストークス光を共振させ、前記非線形光媒体は、前記生成されたラマン１次ストークス光と前記ソース光とに関して位相整合しない４波混合プロセスをサポートし、前記４波混合プロセスは、前記ラマン２次ストークス光の周波数でシード光を生成し、前記非線形光媒体は、前記ラマン１次ストークス光から前記シード光にパワーを伝達することによって、前記生成されたシード光を増幅するラマン増幅プロセスをサポートする、光共振器と、
前記光共振器から前記増幅されたシード光のパワーの少なくとも８３％を抽出するように構成された光抽出器と
を備えるシステム。
【請求項１２】
前記光抽出器は、前記増幅されたシード光のパワーの８３％以上を透過する少なくとも１つのミラーを備える、請求項１１に記載のシステム。
【請求項１３】
前記光抽出器は、増幅されたシード光の前記パワーの少なくとも９０％、少なくとも９５％、又は実質的に１００％を前記光共振器から抽出する、請求項１１又は１２に記載のシステム。
【請求項１４】
前記光抽出器は、分散素子を備える、請求項１１〜１３のいずれか一項に記載のシステム。
【請求項１５】
前記ソース光を生成するように構成された光源を備え、
前記光源は、複数のソース光パルスを生成し、前記生成されたラマン１次ストークス光は、複数のラマン１次ストークス光パルスを含み、前記生成されたシード光は、複数のシード光パルスを含む、請求項１１〜１４のいずれか一項に記載のシステム。
【請求項１６】
前記複数のソース光パルスのそれぞれは、１０ｎｓ、１ｎｓ、１００ｐｓ、１０ｐｓ及び１ｐｓの少なくとも１つより短い時間幅を有する、請求項１５に記載のシステム。
【請求項１７】
前記光共振器は、前記複数のソース光パルスが、前記非線形光媒体内の前記複数のラマン１次ストークスパルス及び前記複数のシード光パルスに空間的に一致するような長さを有する、請求項１５又は１６に記載のシステム。
【請求項１８】
前記ソース光の前記光源は、複数のソース光パルスを生成するモードロックレーザを備える、請求項１５〜１７のいずれか一項に記載のシステム。
【請求項１９】
前記非線形光媒体は、ダイヤモンド結晶を含む、請求項１１〜１８のいずれか一項に記載のシステム。
【請求項２０】
前記ソース光は、ダイヤモンド結晶の＜１１１＞方向に偏光され、前記光共振器及び前記ダイヤモンド結晶は、前記ソース光、前記ラマン１次ストークス光及び前記シード光が、前記ダイヤモンド結晶の＜１１０＞方向に伝播するように構成されている、請求項１９に記載のシステム。
【請求項２１】
前記光共振器は、非線形である、請求項１１〜２０のいずれか一項に記載のシステム。
【請求項２２】
前記光共振器は、共振サイクル毎に前記ラマン１次ストークス光のパワーの５％、２％、１％及び０．５％の少なくとも１つより小さいパワーを失うように構成されている、請求項１１〜２１のいずれか一項に記載のシステム。
【発明の詳細な説明】
【技術分野】
【０００１】
本開示は、包括的には、ソース光にラマン２次ストークス光を生成する方法及びシステムに関する。
【背景技術】
【０００２】
一般的及び／又は実用的なレーザを用いて生成することが困難、不便又は非実用的である周波数で光を生成するために、誘導ラマン散乱（stimulated Raman scattering：ＳＲＳ）が用いられている。
【０００３】
しかしながら、幾つかの状況では、ＳＲＳを利用するシステムの性能は、特に、これに限定されるわけではないが、光が約１ｎ以下の時間幅の光パルスからなる場合に、望ましいレベル又は実用的なレベルに達していないことがある。幾つかの光は、ＳＲＳを利用する既存のシステムによって生成できないことがある。
【発明の概要】
【課題を解決するための手段】
【０００４】
ソース光にラマン２次ストークス光を生成する方法を開示する。方法は、光共振器に設けられている非線形光媒体におけるラマンインタラクションによってソース光からラマン１次ストークス光を生成することと、光共振器のラマン１次ストークス光を共振させることとを含む。更に、方法は、非線形光媒体において位相整合されていない４波混合プロセス（four wave mixing process）によってソース光及びラマン１次ストークス光からラマン２次ストークス光の周波数でシード光を生成することを含む。更に、方法は、非線形媒体内のラマン増幅プロセスを用いて光共振器内で共振する１次ストークス光からシード光にパワーを伝達することによってシード光を増幅することを含む。更に、方法は、増幅されたシード光のパワーの大部分を光共振器から抽出することを含む。１次ストークスを共振させ、４波混合プロセスを使用することによって、ラマン２次ストークス光を生成するための閾値を大幅に低減することができる。このように増幅されたシード光のパワーの大部分を抽出することによって、非線形光媒体及び光共振器によって導入される波長分散（chromatic dispersion）を補償するための必要性を緩和でき、これによって、実質的な簡略化を実現できる。
【０００５】
本明細書のコンテキストでは、非線形光媒体とは、光媒体内の光のパワーに対する応答が非線形である光媒体である。
【０００６】
一実施形態において、方法は、共振器の外部でソース光を生成することを含む。これに代えて、方法は、共振器の内部でソース光を生成するステップを含んでいてもよい。例えば、方法は、共振器の内部のＬＡＳＥＲ（誘導放出による光増幅：light amplification by the stimulated emission of radiation）プロセスによってソース光を生成することを含んでいてもよい。ＬＡＳＥＲプロセスの例は、以下に限定されるわけではないが、電子ＬＡＳＥＲプロセス及びラマンＬＡＳＥＲプロセスを含む。したがって、ソース光は、オリジナル光のラマンストークス、例えば、ラマン１次ストークス、ラマン２次ストークス又はより高次のラマンストークスの１つであってもよい。前記オリジナル光は、例えば、共振器の外部のＬＡＳＥＲデバイスによって生成してもよい。
【０００７】
一実施形態において、ソース光は、複数のソース光パルスを含む。ラマン１次ストークス光は、複数のラマン１次ストークス光パルスを含んでいてもよい。シード光は、複数のラマン２次ストークス光パルスを含んでいてもよい。ラマン２次ストークス光は、複数のラマン２次ストークス光パルスを含んでいてもよい。複数のソース光パルスは、１０ｎｓ、１ｎｓ、１００ｐｓ、１０ｐｓ及び１ｐｓの少なくとも１つより短い時間幅を有していてもよい。複数のソース光パルスは、非線形光媒体内の複数のラマン１次ストークスパルス、複数のシード光パルス、及び複数のラマン２次ストークス光パルスに空間的に一致していてもよい。モードロックレーザによって複数のソース光パルスを生成してもよい。
【０００８】
複数のソース光パルスは、特に、モードロックレーザによって生成される場合、比較的高いピーク光出力パワーを有することができ、非線形光媒体の応答を向上させることができる。
【０００９】
一実施形態において、非線形光媒体は、ダイヤモンド結晶を含む。ダイヤモンドは、通常、比較的強いラマン応答及び比較的良好な熱特性を有する。これに代えて、他の適切な非線形光媒体を用いてもよく、この例は、以下に限定されるわけではないが、ＬｉＮｂＯ３、ＫＧＷ、ＹＶＯ４、Ｂａ（ＮＯ３）２及びＢａＷＯ４を含む。
【００１０】
一実施形態において、ソース光、ラマン１次ストークス光及びシード光は、ダイヤモンド結晶の＜１１０＞方向に伝播する。ソース光は、ダイヤモンド結晶の＜１１１＞方向に偏光されてもよい。
【００１１】
一実施形態において、ラマン１次ストークス光は、光共振器内で単一の向きの動き（single sense of movement）を有していてもよい。これによって、光学損失が低減され、性能が向上する。
【００１２】
一実施形態において、光共振器内でラマン１次ストークス光を共振させることは、共振サイクル毎にラマン１次ストークス光のパワーの５％、２％、１％及び０．５％の少なくとも１つより小さいパワーを失うことを含む。通常、ラマン１次ストークス光の損失が小さい場合、シード光が生成される。ラマン１次ストークス光の損失の増加が、ソース光パワーの増加によって補償されてもよい。
【００１３】
一実施形態は、光共振器から、増幅されたシード光のパワーの８３％、９０％、９５％、９６％、９７％、９８％、９９％及び１００％の少なくとも１つを抽出することを含む。
【００１４】
ソース光にラマン２次ストークス光を生成するシステムを開示する。システムは、ソース光を受光する非線形光媒体が内部に設けられた光共振器を備え、当該光共振器は、非線形光媒体によって受光したときにソース光のラマンインタラクションによって生成されたラマン１次ストークス光を共振させ、非線形光媒体は、生成されたラマン１次ストークス光とソース光とに関して位相整合しない４波混合プロセスをサポートし、４波混合プロセスは、ラマン２次ストークス光の周波数でシード光を生成し、非線形光媒体は、ラマン１次ストークス光からシード光にパワーを伝達することによって、生成されたシード光を増幅するラマン増幅プロセスをサポートする。更に、システムは、増幅されたシード光の大部分のパワーを、光共振器から抽出するように構成された光抽出器を備える。
【００１５】
一実施形態においては、光抽出器は、増幅されたシード光のパワーの大部分を透過する少なくとも１つのミラーを備える。これに代えて又はこれに加えて、例えば、光抽出器は、分散素子を備えていてもよい。光抽出器は、それぞれが、光共振器から、このように増幅されたシード光のパワーを抽出する複数の構成要素を含んでいてもよい。通常、適切な如何なる光抽出器を用いてもよい。
【００１６】
一実施形態は、ソース光を生成する光源（ソース）を備える。光源は、複数のソース光パルスを生成するように構成されてもよい。上述のように生成されたラマン１次ストークス光は、複数のラマン１次ストークス光パルスを含んでいてもよい。上述のように生成されたシード光は、複数のシード光パルスを含んでいてもよい。上述のように生成されたラマン２次ストークス光は、複数のラマン２次光パルスを含んでいてもよい。
【００１７】
一実施形態において、光源（ソース）は、共振器の外部にあってもよい。光源と共振器は、上述のように生成されたソース光が非線形光媒体によって受光されるように構成されてもよい。光源は、例えば、ＬＡＳＥＲデバイスを含んでいてもよい。ＬＡＳＥＲデバイスは、例えば、モードロックレーザデバイス、Ｑスイッチレーザデバイス、及び持続波レーザの少なくとも１つを含んでいてもよい。
【００１８】
他の実施形態において、共振器は、共振器内でソース光を生成するように構成される。この他の実施形態は、共振器の外部にあり、オリジナル光を生成するよう構成されたオリジナル光ソースを含んでいてもよい。共振器は、オリジナル光のラマンインタラクションによって、オリジナル光からソース光を生成するように構成されてもよい。ソース光は、オリジナル光のラマン１次ストークス又はより高次のラマンストークスであってもよい。
【００１９】
一実施形態において、複数のソース光パルスのそれぞれは、１０ｎｓ、１ｎｓ、１００ｐｓ、１０ｐｓ及び１ｐｓの少なくとも１つより短い時間幅を有する。
【００２０】
一実施形態において、光共振器は、複数のソース光パルスが、非線形光媒体内の複数のラマン１次ストークスパルス及び複数のシード光パルスに空間的に一致するような長さを有する。
【００２１】
一実施形態において、ソース光の光源は、複数のソース光パルスを生成するモードロックレーザを備える。
【００２２】
一実施形態において、非線形光媒体は、ダイヤモンド結晶を含む。但し、包括的には、適切な如何なる非線形光媒体を使用してもよい。光共振器及びダイヤモンド結晶は、ソース光、ラマン１次ストークス光及びシード光が、ダイヤモンド結晶の＜１１０＞方向に伝播するように構成されてもよい。ソース光は、ダイヤモンド結晶の＜１１１＞方向に偏光されてもよい。
【００２３】
一実施形態において、光共振器は、非線形であってもよい。光共振器は、例えば、蝶ネクタイ型共振器（bow tie resonator）等の光学リング共振器、又は、包括的には、適切な如何なる光共振器を含んでいてもよい。なお、共振器は線形であってもよい。
【００２４】
一実施形態において、光共振器は、共振サイクル毎にラマン１次ストークス光のパワーの５％、２％、１％及び０．５％の少なくとも１つより小さいパワーを失うように構成されてもよい。
【００２５】
光抽出器は、上述のように増幅されたシード光のパワーの８６％、９０％、９５％、９６％、９７％、９８％、９９％及び１００％の少なくとも１つを、光共振器から抽出するように構成されてもよい。
【００２６】
上述の開示の様々な特徴のそれぞれ、及び後述する実施形態の様々な特徴のそれぞれは、適切に及び必要に応じて組み合わせることができる。
【００２７】
以下、添付の図面を参照して、例示的のみを目的とする実施形態を説明する。
【図面の簡単な説明】
【００２８】
【図１】ソース光にラマン２次ストークス光を生成するシステムの実施形態の概略図である。
【図２】図１のシステムの１次ストークス閾値、出力パワー及びパルス期間を光共振器長離調（optical resonator length detuning）の関数として示す図である。
【図３】光共振器長離調がない場合のパワー伝達データを示す図である。
【図４】図１のシステムのパフォーマンスを光共振器長離調の関数として示す図である。
【図５】図１のシステムの他のパフォーマンスをソース光パワーの関数として示す図である。
【発明を実施するための形態】
【００２９】
図１は、ソース光２４にラマン２次ストークス光を生成するためのシステムの実施形態の概略図を表しており、システムには、包括的に、符号１０を付している。システム１０は、この実施形態においては、蝶ネクタイ型（bow tie shaped）の形式の光リング共振器である光共振器を有し、この光共振器は、この実施形態では、（Ｍ１及びＭ２のラベルが付され、曲率半径ＲＯＣ＝２００ｍｍを有する）２つの曲面ミラー１２、１４と、２つの平面ミラー１６、１８（Ｍ３及びＭ４）とを備える。誘電体でコーティングされた各ミラーの仕様を表１に示す。光は、少なくとも部分的に透過性を有する少なくとも１つのミラー（「出力カプラ」）によって共振器から抽出される。光は、一般的な適切な如何なる光抽出器を用いて抽出されてもよい。共振器内には、ラマンインタラクション及び４波混合インタラクションの両方をサポートする非線形光媒体２０が配設されている。
【００３０】
【表１】
0006445012.tif 000002
【００３１】
この実施形態では、非線形光媒体は、ダイヤモンド結晶の形式の結晶である。このダイヤモンド結晶は、全ての実施形態の必須条件ではないが、ＣＶＤ成長ダイヤモンドである。ダイヤモンドを選択する理由は、ラマン利得係数が高いためである（１０６４ｎｍについてｇＲ≒１５ｃｍ／ＧＷ）。ダイヤモンドは、高パワー動作のための効率的なラマン変換及び１３３２ｃｍ−１の非常に大きなラマンシフトを可能にする顕著な熱機械特性を有する。１２４０ｎｍにおける反射防止コーティング（各端面のパス毎の反射率Ｒ＝０．０６％）が施された長さ８ｍｍの矩形ダイヤモンド結晶を、ソース光（「ポンプビーム」又は「ポンプ光」）が＜１１０＞軸に沿って伝播し、＜１１１＞軸に沿って偏光され、ダイヤモンド結晶の最大ラマン利得に達するように配向する。但し、包括的には、適切なコーティングの有無にかかわらず、適切な如何なる配向で、適切な如何なる非線形媒体が使用されてよい。適切な材料の例は、ＫＧＷである。モードロックＮｄ：ＹＶＯ４レーザ（Ｓｐｅｃｔｒａ  Ｐｈｙｓｉｃｓ社のＶａｎｇｕａｒｄ  ２０００−ＨＭ５３２）の形式の光源により、パルス期間１５ｐｓ及び繰り返し率８０ＭＨｚで、１０６４ｎｍにおける平均パワー４．８Ｗのソース光を生成した。ソース光の入射パワーは、ポンプレーザの他の動作特性を変更することなく、半波長板及び偏光子ビームスプリッティングキューブを用いて減衰させることができる。２つの平凸レンズ２６、２８（ｆ１＝５００ｍｍ及びｆ２＝２００ｍｍ）を用いて、ソース光を、入力ミラーＭ１を介して、焦点サイズｐｐ．＝２２μｍでダイヤモンド結晶の中心に集光した。
【００３２】
このシステムは、構成が非常に単純であるが、ソース光にラマン２次ストークス光（「２次ストークス」）を非常に効率的に生成することに加えて、このシステムは、ソース光にラマン１次ストークス光（「１次ストークス」）の光を放射するように適応化でき、ある程度の波長アジリティ（wavelength agility）を提供する。この構成は、全ての実施形態の必須条件ではないが、異なるＭ４ミラー１８（Ｍ４１及びＭ４２）の何れかを選択することによって実現される。
【００３３】
１次ストークスを抽出する場合、出力パワーの大部分は、Ｍ４１（１２４０ｎｍにおいて透過率＝８．３％）から得られ、Ｍ２（１２４０ｎｍにおいてＴ＝０．４％）も少量の出力パワーを漏出した。２次ストークス抽出の場合、Ｍ４２（１２４０ｎｍにおいて反射率Ｒ＞９９．９９％）を使用して１次ストークス場の内部共振器の強度を高め、Ｍ２  １４は、１次及び２次ストークスの両方について、出力カプラ（output coupler：ＯＣ）として機能した。Ｍ１及びＭ２の間を約２０５ｍｍ分離させることで、ダイヤモンドの中心において、集光されたポンプと同等なモードサイズで、共振器ＴＥＭ００モードが生成された。システム性能は、ラマン共振器がポンプレーザ２２と同期するように改善された。共振器長は、高精度平行移動ステージ（translation stage）によってＭ４  １８の位置を変更することによって調整された。１次ストークスの閾値が最も小さくなる長さをΔｘ＝０μｍとし、正の（負の）Δｘがより長い（より短い）共振器に対応するように共振器長離調（resonator length detuning）Δｘを定義した。
【００３４】
特に、不必要な損失の大部分がダイヤモンド結晶２０に関連する散乱及び表面損失に起因することから、定常波共振器又は線形共振器に代えてリング共振器を使用することは、幾つかの利点を有する。定常波共振器では、ストークス場は、主に、ポンプパルスと共にラマン結晶に沿って前方に伝播する際に増幅され、約二倍の往復損失（round trip loss）を代償として、（潜在的に強く）減衰したポンプパワーが終端ミラーから戻る場合、結晶を介する戻りパスが、僅かな更なる利得を提供できる。リング共振器設計は、往復ラマン利得を大幅に低減させることはなく、定常波共振器と比較して往復損失を約半分にすることができる。同期してポンピングされるリングラマンレーザ１０は、結晶２０を介してポンプと共に伝播するストークスパルスとの時間的重なりが強まるために、共振器内光ダイオードを必要とすることなく一方向動作を提供でき、これについては、後に更に詳細に説明する。更に、リング光共振器１０は、ポンプレーザシステム２２への後方反射が殆ど又は全くなく、光共振器１０とポンプレーザとの間に分離器を設ける必要性を回避することができる。
【００３５】
１次ストークス出力を生成するために、低Ｑ１次ストークス光共振器（low-Q first Stokes optical resonator）を構築した。ミラーＭ４１は、１２４０ｎｍにおいて透過率Ｔ＝８．３％を有し、光共振器から光を抽出する光抽出器（「出力カプラ（output coupler）」、「ＯＣ」と略す）である。他の実施形態において、ミラーは、例えば、１２４０ｎｍにおいて９９％の高い反射率を有し、光抽出器は、光プリズムの形式の分散素子であってもよい。光共振器内で単一の向きに動く（「一方向性の（unidirectional）」）１次ストークス（及び２次ストークス）場は、入射ポンプビーム２４と共に伝播する方向として定義される「前方」方向にレーザ光線を放出する。システム１０は、結晶内の前方及び後方のＳＲＳについて、基底にあるラマン利得係数が同じであるため、後方の方向にレーザ光線を出すことができる。幾何学的因子は、包括的に、前方動作に寄与し、１５ｐｓポンプパルスと、ストークスパルスエンベロープと共に移動するあらゆる点との重なり時間は、前方ストークスパルスについては、６４ｐｓであり（８ｍｍの完全な結晶長に対応）、後方ストークスパルスについては、僅かに７．５ｐｓのみである（パルスの衝突時間に対応）。したがって、結晶長が大幅に短くされない限り、幾何学的因子は、前方動作に強く寄与することがわかる。
【００３６】
図２は、共振器長離調Δｘの関数として、１次ストークス閾値、出力パワー及びパルス期間を示しており、出力パワー及びパルス期間は、４．８Ｗの最大のポンプパワーで測定されたものである。１次ストークス出力は、Δｘ＝−４００〜＋５０ａｍ離調範囲内で取得された。最小ＳＲＳ閾値は、（定義上）Δｘ＝０μｍにおいて１．５３Ｗであり、また、１２４０ｎｍにおいて２．７５Ｗの最大出力が得られた。図３は、Δｘ＝０μｍについてのパワー伝達データをプロットしたグラフである。全体的な変換効率ηｏ＝５９％を達成した。ＳＲＳ閾値より遥かに高い残留ソース光パワー（residual source light power）（「ポンプパワー」）（３．５Ｗを超えるポンプパワー）は、クランプされ始め、スロープ効率ηｓは、７６％の限界に向かって傾き、これは、ダイヤモンドの量子限界である８６％を大きく下回るものではなく、非常に効率的なレーザを示している。１２４０ｎｍの出力のためのビーム品質係数Ｍ２の測定値は、最大出力において１．５５であった。
【００３７】
本構成における１次ストークス生成は、驚くほど効率的である。この改善は、主に、このリング共振器構成、並びに本構成で使用されるミラー１２、１４、１６、１８及び結晶２０の優れたコーティングの結果であると考えられる。レーザ性能に影響を及ぼす内部共振器損失の重要性を示すために、同程度の結晶長（１０ｍｍ）及び配向を有するが、端面反射率がより高い（Ｒ＝０．０６％と比較して、端面毎にＲ＝０．４％）の他のダイヤモンド結晶を使用した場合、１２４０ｎｍにおいて（２．７５Ｗ及びηｏ＝５９％と比較して）２．１Ｗ及びηｏ＝４３．８％に出力パワーが低下した。
【００３８】
パルスが時間的にガウスパルスであると仮定して、自己相関器によって１次ストークス出力のパルス期間を測定し、その測定結果を図２（ｂ）に示す。Δｘ＝＋５０μｍにおいて、１２４０ｎｍにおける９ｐｓの最小パルス期間が得られた。この構成のパルス圧縮の効果は、比較的短いダイヤモンド結晶のため、特に顕著ではない。
【００３９】
ラマン２次ストークス光の放射ビームを生成するために、１２４０ｎｍおけるＨＲコーティングを有する異なる出力カプラ１８（Ｍ４２）によってシステム１０を動作させた。１２４０ｎｍにおけるミラーからの往復損失は、Ｍ２を介する０．４％の透過によって支配され、Ｍ２から漏出するパワーによって観測される１次ストークス場の共振器内部強度は、大幅に高まった。幾つかの実施形態におけるラマン１次ストークスの共振サイクル毎の損失は、５％、２％、１％及び０．５％の少なくとも１つより小さい。増加した損失は、ソースパワーを高めることによってある程度補償することができるが、最も効率的な実施形態では、例えば、ラマン１次ストークスにおいて非常に高い反射性を有するミラーを選択し、吸収及び／又は散乱損失が低い高品質非線形光媒体を選択することによって、損失を低減した。このセットアップでは、特定の離調領域において、１４８５ｎｍにおける２次ストークスの前方生成、並びに１２４０ｎｍにおける１次ストークスの後方生成の両方が観察された。図５は、２次ストークス及び後方１次ストークスの性能を示しており、ここでは、Δｘ＝０μｍのポンプパワーの関数として、（ａ）２次ストークス（１４８５ｎｍ）出力パワー及び１次ストークス（１２４０ｎｍ）漏出パワー（leaking power）及び（ｂ）残留基本（１０６４ｎｍ）パワー（residual fundamental power）及び反ストークス（９３５ｎｍ）出力パワーを示している。（ａ）における挿入図は、２次ストークス出力パワー対ポンプパワーをｌｏｇ−ｌｏｇスケールで示している。実験で使用したパワーメータの感度の限界のために、ポンプパワーの１．４Ｗを下回る反ストークスパワーは、測定されなかった。
【００４０】
システム１０は、２次ストークス放射の殆ど全てが共振器から失われる（次の往復伝播に循環される結晶の出口におけるパワーは、２次ストークスパワーの僅か０．０２％である）という事実にもかかわらず、２次ストークス出力パワーを効率的に生成することができることが見出された。包括的に言えば、実施形態は、光共振器から２次ストークスパワーの５０％、８６％、９０％、９５％、９６％、９７％、９８％、９９％及び１００％の少なくとも１つより大きいパワーを抽出する。パワーは、少なくとも１つのミラー、光プリズムの形式の分散素子、複数のミラー、共振器内２次ストークス光以外の共振器内の光を透過するミラー、光学的非線形媒体、及びこれらの組み合わせ、又は包括的に適切なあらゆる共振器構成によって抽出されてもよい。
【００４１】
図４は、システム１０の性能をΔｘの関数として示しており、ここでは、先のセクションで述べた１次ストークスに比べて、１４８５ｎｍにおける２次ストークスがより狭いΔｘ領域（−１０５μｍから＋２２μｍ）で動作したことが示されている。４．８ＷのポンプパワーによるΔｘ＝０μｍにおける最大出力パワーは、１．０２Ｗであり、これは、全体的な変換効率の約２１％に相当する。システム１０の出力パルス期間は、負のΔｘ共振器離調範囲の大部分において約１０ｐｓであり、正の離調では、急激に低下した。最も短いパルス期間は、Δｘ＝＋２０μｍにおける６ｐｓであった。測定されたビーム品質係数Ｍ２は、最大出力パワーでは、約２．２であった。
【００４２】
ラマン２次ストークス光の生成は、４波（「パラメトリック」）混合プロセスによって開始される。４波混合プロセスは、通常、位相整合されない。４波混合は、通常、位相整合されないので、シード光である２次ストークスの周波数では、４波混合プロセスによって生成される光は、非常に弱く、実質的なパワーは殆ど又は全くない。２次ストークス波は、ストークス場によってポンピングされるＳＲＳ利得を得る。２次ストークスのパラメトリック生成は、ＳＲＳプロセスをシードすると考えられる。これは、シングルパスプロセスである。この考えは、図５ａの挿入図に明確に示されている２次ストークスの閾値がない挙動によっても支持される。
【００４３】
この実施形態における、２次ストークス出力パワーを生成するための４波混合（four wave mixing：ＦＷＭ）及びシングルパスＳＲＳの組合せは、非常に単純で効率的である。２次ストークス波長については、ミラーを設計する必要はなく、光共振器及びラマン結晶によって導入される分散の補償も不要である。
【００４４】
４波混合によって生成される２次ストークスのシードパワーを、分析することができる。２次ストークスを生成するコヒーレント散乱は、伝播距離ｚによる成長の速度方程式に従う。
【数１】
0006445012.tif 000003
ここで、Ｅは、フィールド振幅に比例し、Ｉ＝｜Ｅ｜２であり、Ｌ、Ｓ及びＳＳの添え字は、それぞれ、レーザ、１次ストークス及び２次ストークスを表す。２次ストークス利得係数ｇｓｓ＝ｇｓωｓｓ／ωｓであり、ここで、ｇＳは、ストークスラマン利得係数であり、ωはフィールドの角周波数である。
【００４５】
（１）を積分し、三角法を適用し、二乗することによって強度を算出し、パワーに変換することによって、以下の式が得られる。
【数２】
0006445012.tif 000004
ここで、Ａは、ビーム面積である。これは、位相が整合されていないＦＷＭによる２次ストークスのサイン波状の生成及び消滅を与える方程式である。ＳＲＳは、２次ストークスのシードを増幅させ、生成及び消滅の対称性を損なわせ、高パワー出力を実現する。ＦＷＭによる、最大値ｇ２ｓｓＰＬＰ２Ｓ／Ａ２Δｋｓｓ２までの２次ストークスのシーディングは、２次ストークス出力パワーを得るためにキャビティフィードバックが不要であることを意味する。１次ストークスが存在する場合、常に２次ストークスが生成されるため、２次ストークス閾値は観察されず、２次ストークスＳＲＳシングルパスの利得が増加すると、２次ストークスパワーが速く増加すると期待される。
【００４６】
現在のレーザについては、４波混合シードの強度を推定することができる。「F. Peter, Z Phys 15, 358 (1923)」からのセルマイヤ（Sellmeier）係数を使用して、１０６４ｎｍ及び１２４０ｎｍを混合して１４８５ｎｍの２次ストークスを生成する場合、ΔｋＳＳ＝６８５７ｍ−１を算出することができる。３Ｗ（平均パワー）のレーザパワーについて、１００Ｗの共振１次ストークスパワーを推定することができる。各パルスの間のピークパワーは、平均的パワーより約１０００倍高い。３０ミクロンのフォーカルウエスト（focal waist）について、２次ストークスシードの平均的パワーは、２００ｍＷであると算出することができる。
【００４７】
そして、２次ストークスの共振器反射率のどのような値が重要でなくなるかを検討することができる。２次ストークスにおいて１Ｗの出力パワーを生成し、２次ストークス出力パワーカップリング係数Ｔを有するレーザについて、各利得パスの始まりにおける共振２次ストークスパワーは、（１−Ｔ）／Ｔである。Ｔ＞８３％の場合、これは、２００ｍＷの２次ストークスシードより小さく、レーザが「シードされた非共振（seeded non-resonating）」モードで動作しているとみなすことができる。幾つかの実施形態においては、「シードされた非共振」モードは、例えば、Ｔ＞５０％、Ｔ＞８６％又はこれ以上で生じる。
【００４８】
なお、より長い波長の場合（例えば、２１２８ｎｍのレーザから２次ストークスを生成する場合）、不整合は、より少なく（２１２８ｎｍ及び２９７０ｎｍから４９１９ｎｍを生成する場合、Δｋｓｓ＝２８００ｍ−１）、ｇｓｓにおける約０．５の係数の低下がこの波長範囲に移行する（利得は、波長に概ね反比例する）。このように、このレーザのより長い波長バージョンに対して又はカスケードされたレーザに対して、シーディングは、より強くなり、幾つかの次数のストークスが共振した後、最終的な非共振出力が生成される。２次ストークス動作のために使用される高Ｑ共振器では、Δｘ＝０〜＋５５μｍの正の小さい長さの離調に対して、後方に伝播する１次ストークス出力パワーも得られた。Δｘの関数として出力される後方１次ストークスの出力パワー及び閾値は、それぞれ、図４（ａ）及び４（ｄ）において特徴付けられている。Δｘ＝＋２７μｍにおける後方１２４０ｎｍの最大出力パワーは、０．４５Ｗであった。全体の動作領域に沿ったパルス期間は、自己相関器のスキャン範囲によって制限され、＞３０ｐｓであり、前方１次ストークスの場合より大幅に長い。
【００４９】
包括的に言えば、図２及び図３に示すように、前方ＳＲＳは、整合された共振器長の場合、又はポンプレーザより僅かに短い場合（負の離調）に最も良好に動作する。負の離調の場合、定常状態を維持するために、ストークスパルスは、共振器長の不整合に起因する各往復における進みを相殺するために、その末尾部を優先的に増幅し、パルスを整形して、効果的な遅延を引き起こす必要がある。末尾部の優先的な増幅は、過渡的ラマン散乱（transient Raman scattering）に調和するため、負の離調は、許容することができる。一方、正の離調は、ストークスパルスの先頭部の優先的な増幅を必要とし、これは、容易には達成できず、大幅な正の離調の場合、前方ストークス動作は、不可能である。
【００５０】
前方ストークスの効率的な動作によって、図３及び図４ｂに示すように、ポンプ場が強く減衰し、したがって、後方ストークス動作は、その閾値に到達しない。一方、正の離調領域では、前方動作が抑制され、したがって、後方ストークス活動が実際に閾値に到達する。この動作モードにおける衝突するポンプ場及びストークス場のパルス形成ダイナミクスによって、明らかに、正の離調が許容される程度が大きくなり、この抑制された前方動作の窓内で、後方動作が支配的になることができる。
【００５１】
システム１０は、例えば、共振器内光アイソレータを導入して、前方ストークス場が振動することを防止することによって、純粋な後方方向で動作することを強制することができる。
【００５２】
要約すると、この開示は、１２４０ｎｍ及び１４８５ｎｍの両方で動作する非常に効率的なピコ秒システムを提供する。低Ｑ光共振器における１２４０ｎｍの１次ストークスについて、最高２．７５Ｗの出力パワー及び５９％の変換効率が達成された。スロープ効率は、ポンプがＳＲＳ閾値を遥かに超えると、７６％に向かって傾斜した。１４８５ｎｍの２次ストークスは、ＦＷＭ及び高Ｑ光共振器１０内のシングルパスＳＲＳによって、ラマン２次ストークスの非常に高い共振サイクル損失で、簡単に生成された。２１％の全体的な変換効率によって、１４８５ｎｍにおける最高１．０２Ｗの出力パワーが生成された。システムは、ＳＲＳ閾値を遥かに超える高いスロープ効率を有するため及びダイヤモンドの優れた熱特性のために、ストークス生成のためのパワースケーリングの可能性を有することができる。
【００５３】
システム及び方法の他の実施形態は、プリズムの形式の分散素子（包括的には、例えば、グレーチング等、適切な如何なる分散素子であってもよい。）を使用して、増幅されたシード光を共振器から抽出する。分散素子は、共振器内で増幅されたシード光の経路内に配置される。分散素子は、増幅されたシード光ビームを共振器ミラーから離れるように曲げることによって、増幅されたシード光ビームが共振器の回路を形成しないようにする。すなわち、何らかの吸収又は散乱を除き、増幅されたシード光のパワーの全ては、光共振器から抽出される。この実施形態では、増幅されたシード光は、共振器内で共振しない。
【００５４】
更に他の実施形態においては、共振器は、共振器内でソース光を生成するように構成される。例えば、この他の実施形態は、共振器の外部のモードロックレーザ（mode locked laser）の形式でオリジナルの光源を備える。モードロックレーザは、一連のオリジナル光パルスの形式でオリジナル光を生成するように構成されてもよい。オリジナル光源及び共振器は、生成されたオリジナル光を非線形光媒体が受光し、オリジナル光にラマン１次ストークスを生成するように配置される。共振器は、ラマン１次ストークスを共振させるように構成される。共振器は、オリジナル光に、より高次のラマンストークスを共振させるように構成されてもよい。したがって、例えば、ソース光は、ラマン１次ストークス又はオリジナル光の高次ラマンストークスであってもよい。
【００５５】
本発明の思想又は範囲を逸脱することなく、ここに記述した実施形態を変更及び／又は修正することができる。非線形光媒体は、包括的には、ダイヤモンドに限らず、例えば、ＬｉＮｂＯ３、ＫＧＷ、ＹＶＯ４、Ｂａ（ＮＯ３）２及びＢａＷＯ４を含む適切な如何なる非線形光媒体であってもよい。したがって、上述の実施形態は、あらゆる点で例示的であり、限定的なものとはみなされない。
【００５６】
ここに記述した従来の技術は、あらゆる司法管轄圏内で先行技術が周知であることを認めるものではない。
【００５７】
特許請求の範囲及び上述した発明の説明において、明示的な文言又は必要な含意のために文脈による他の要求がない限り、「備える、含む、有する」又はその活用形は、包含的な意味で使用され、すなわち、言及した特徴の存在を特定するが、本発明の様々な実施形態における更なる特徴の存在又は追加を排除するものではない。
【図１】
0006445012.tif 000005
【図２】
0006445012.tif 000006
【図３】
0006445012.tif 000007
【図４】
0006445012.tif 000008
【図５】
0006445012.tif 000009